(57)【要約】【課題】  いたずら等による勝手な操作を防止する。【解決手段】  熱交換器、送風機ユニット１５及び電装ボックス１７を収納するケース２を有する空気調和機１において、前記ケース２内部を仕切り板１１により、前記熱交換器及び送風機ユニット１５を収納する熱交換室１３Ｂと、前記電装ボックス１７を収納する電装ボックス収納室１３Ｃとに仕切り、前記電装ボックス収容室１３Ｃに収容された前記電装ボックス１７の外側面に、運転操作のためのリモコン３０を着脱可能に取り付けるとともに、前記電装ボックス収納室１３Ｃの前面を着脱可能なアンダーパネル７Ｃにより覆うようにした。【選択図】      図２
2006145086.tif 000002
【特許請求の範囲】
【請求項１】
熱交換器、送風機及び電装ボックスを収納する筐体を有する空気調和機において、
前記筐体内部を仕切り板により、前記熱交換器及び送風機を収納する熱交換室と、前記電装ボックスを収納する電装ボックス収納室とに仕切り、
前記電装ボックス収容室に収容された前記電装ボックスの側面に、運転操作のための操作コントローラを着脱可能に取り付けるとともに、
前記電装ボックス収納室の前面を着脱可能なパネル部材により覆うようにした
ことを特徴とする空気調和機。
【請求項２】
前記操作コントローラを取付けベースに固定するとともに、支持片を前記電装ボックスに設け、前記支持片が前記取付けベースを着脱可能に支持することを特徴とする請求項１に記載の空気調和機。
【請求項３】
前記取付けベースを前記電装ボックスにビス止め固定するようにしたことを特徴とする請求項２に記載の空気調和機。
【発明の詳細な説明】
【技術分野】
【０００１】
本発明は、空気調和機に係り、特に、床置きタイプのパッケージ型の空気調和機に関する。
【背景技術】
【０００２】
一般に、オフィスやビル等では、床にそのまま設置される床置きタイプのパッケージ型の空気調和機が使用されている。この種の空気調和機では、その前面パネル側に操作パネルを配置し、この操作パネルを操作することで、空気調和機の運転などを操作するようになっている（例えば、特許文献１参照）。
【特許文献１】特開平６−１２３４３９号公報
【発明の開示】
【発明が解決しようとする課題】
【０００３】
しかしながら、例えば演劇場や映画館などの不特定多数の人が出入りする場所に、上記の空気調和機を設置した場合、いたずら等により、操作パネルが無断で操作されてしまうことがある、といった問題があった。
本発明は、上述した事情に鑑みてなされたものであり、いたずら等による勝手な操作を防止することのできる空気調和機を提供することを目的とする。
【課題を解決するための手段】
【０００４】
上記目的を達成するために、本発明は、熱交換器、送風機及び電装ボックスを収納する筐体を有する空気調和機において、前記筐体内部を仕切り板により、前記熱交換器及び送風機を収納する熱交換室と、前記電装ボックスを収納する電装ボックス収納室とに仕切り、前記電装ボックス収容室に収容された前記電装ボックスの側面に、運転操作のための操作コントローラを着脱可能に取り付けるとともに、前記電装ボックス収納室の前面を着脱可能なパネル部材により覆うようにしたことを特徴とする。
【０００５】
また本発明は、上記発明において、前記操作コントローラを取付けベースに固定するとともに、支持片を前記電装ボックスに設け、前記支持片が前記取付けベースを着脱可能に支持するようにしたことを特徴とする。
また本発明は、上記発明において、前記取付けベースを前記電装ボックスにビス止め固定するようにしたことを特徴とする。
【発明の効果】
【０００６】
本発明によれば、いたずら等による勝手な操作が防止可能となる。
【発明を実施するための最良の形態】
【０００７】
以下、図面を参照して本発明の実施の形態を詳述する。図１は本実施の形態に係る空気調和機１の外観を示す斜視図であり、図２は同空気調和機１の分解斜視図である。図１に示すように、空気調和機１は、筐体としてのケース２と、当該ケース２が載置、固定される台座３とを備えている。ケース２は、ボックス形状に構成され、左右側面を構成する側板４と、上面を構成する天板５（図２には図示せず）と、下面を構成する底板６と、背面を構成する背面板（図示せず）とを備え、また、ケース２の前面には前面パネル７が設けられている。
【０００８】
ケース２前面の最上位置には空気を吹出す吹出し口８が形成され、この吹出し口８には上下方向に風を案内する案内羽根９が設けられ、この案内羽根９の背後には、左右の吹出し方向を案内する内側のガイド板１０が設けられている。前面パネル７は、ケース２の前面のうち上記吹出し口８から下方全体を覆い、上から順に、センターパネル７Ａと、室内空気を吸込む空気吸込口が形成された吸込みパネル７Ｂ（図２には図示せず）、アンダーパネル７Ｃとから構成されている。
【０００９】
図２に示すように、ケース２内部は２枚の仕切り板１１、１２により３つの空間に仕切られ、上から順に、空気吹出室１３Ａ、熱交換室１３Ｂ、電装ボックス収納室１３Ｃが形成されている。熱交換室１３Ｂは上記仕切り板１１、１２の間に形成された空間であり、この熱交換室１３Ｂには、図示せぬ熱交換器、この熱交換器に接続される液管及びガス管からなる冷媒配管１４、さらに熱交換器の上方であって仕切り板１２の下面に近接配置される送風機ユニット１５が収容されている。また、冷媒配管１４の端部は仕切り板１１を貫通して、電装ボックス収納室１３Ｃに引き出され、室外ユニット（図示せず）の冷媒管に接続される。
【００１０】
送風機ユニット１５は、ケース２の幅方向に並設される２台の送風機１５Ｃを有し、各送風機１５Ｃが、電動機１５Ａと、この電動機１５Ａにより回転駆動される羽根車を収容し、両側面に空気吸込み口が形成されたファンケース１５Ｂとから構成されている。また、各送風機１５Ｃの吐出口１６は仕切り板１２の面内に形成された開口に接続されており、送風機ユニット１５によって吸込まれた空気が空気吹出室１３Ａに送風される。
【００１１】
熱交換室１３Ｂの前方は上記センターパネル７Ａ及び吸込みパネル７Ｂにより覆われ、送風機ユニット１５の前方がセンターパネル７Ａにより覆われ、また、図示せぬ熱交換器の前方が吸込みパネル７Ｂにより覆われる。したがって、送風機ユニット１５が駆動されると、吸込みパネル７Ｂから室内空気が吸引されて、この室内空気が図示せぬ熱交換器を通過して熱交換した後、送風機ユニット１５に吸込まれ、吐出口１６から空気吹出室１３Ａに吹出され、そして、この空気吹出室１３Ａの前方に形成された吹出し口８から室内に向けて送風されることになる。なお、熱交換器は、空気通路に斜めに傾斜して配置することが望ましく、これにより、当該熱交換器を通過する空気による風切り音の静音化を図ることができる。
【００１２】
上記電装ボックス収納室１３Ｃは、仕切り板１１及び底板６により形成される空間であり、その前方が、上記アンダーパネル７Ｃにより覆われて構成される。この電装ボックス収納室１３Ｃには、各種制御基板を収容する電装ボックス１７が配置される。
【００１３】
図３は電装ボックス１７を拡大して概略的に示す斜視図であり、図４は電装ボックス１７の平面、正面、左右側面及び底面を示す五面図である。これらの図に示すように、電装ボックス１７は正面が解放した箱型に形成され、電装ボックス収納室１３Ｃの右上隅に固定されている。具体的には、電装ボックス１７の解放した正面の縁部のうち、左右及び上側の縁部にはそれぞれ取付け片１８Ａ、１８Ｂ、１８Ｃが形成され、上側の取付け片１８Ａが上記仕切り板１１の前方側面１１Ａにビス止めされ、右側の取付け片１８Ｂが、右側板４にビス止めされ、さらに、左側の取付け片１８Ｃが、底板６に立設された補強フレーム１９にビス止めされる。このように、電装ボックス１７の上及び左右の縁部を固定することで、電装ボックス１７の重量が重くなったとしても、十分な固定強度を維持することができる。
【００１４】
この電装ボックス１７には、例えば映画館やオフィスなどに本空気調和機１を複数設置した際に、集中管理室などから、各空気調和機１の運転を遠隔制御可能とすべく、図４に示すように、遠隔操作用制御回路２０が収容されており、さらに、電装ボックス１７には、本空気調和機１の空調制御などの各種制御を実行する制御基板２１、各種電気回路などが収容されている。また、電装ボックス１７の側面には、配線を電装ボックス１５に引き出し、或いは、引き込むための複数の開口２２が形成されている。
【００１５】
また、本空気調和機１は上述の遠隔操作のほかに、直接操作可能にも構成され、直接操作のための操作コントローラとしてワイヤードリモートコントローラ（以下、単に「リモコン」と言う）３０が設けられている。このリモコン３０は、図３に示すように、電装ボックス１７の左外側面１７Ａに着脱可能に取り付けられており、リモコン３０から引き出された信号線３１は、電装ボックス１７の左外側面１７Ａに形成された開口２２Ａから電装ボックス１７内に引き込まれ、上記制御基板２１と接続される構成となっている。
【００１６】
リモコン３０の取付け構造について詳細には、図５に示すように、リモコン３０の背後に、断面コ字状に形成された取付けベース４０がビス４１により固定され、この取付けベース４０が、電装ボックス１７の左外側面１７Ａに設けられた支持片５０により着脱可能に支持される。
具体的には、リモコン３０の横幅Ｗ１は電装ボックス１７の左外側面１７Ａの横幅（すなわち、電装ボックス１７の深さ）よりも短く形成され、さらに、取付けベース４０は、その横幅Ｗ２がリモコン３０の横幅Ｗ１よりも長く、なおかつ、電装ボックス１７の左外側面１７Ａの横幅よりも若干短く形成されており、取付けベース４０の片方（図５中右側）の側面４０Ａとリモコン３０の片方（図５中右側）の側面３０Ａとを合わせるように当該リモコン３０を取付けベース４０に固定することで、取付けベース４０の他方側に、取付けベース４０とリモコン３０との段差による幅Ｗ３の肩部４０Ｂを形成し、この肩部４０Ｂに上記支持片５０が係合してリモコン３０を支持するようになっている。
【００１７】
上記支持片５０は、薄肉板金を断面略Ｌ字状に形成したものであり、電装ボックス１７に形成した取付け片１８Ｃとの共同によって取付けベース４０の幅方向を規制する幅規制部５１と、取付けベース４０の肩部４０Ｂと係合して当該取付けベース４０が電装ボックス１７の左外側面１７Ａから離間する方向に傾倒するのを規制する傾倒規制部５２とを備え、さらに、取付けベース４０の脱落を防止する底面規制部５３を有する。したがって、この支持片５０と、電装ボックス１７の取付け片１８Ｃとの間にリモコン３０を挿入した際には、支持片５０の幅規制部５１と電装ボックス１７の取付け片１８Ｃとによりリモコン３０の幅方向が規制されるとともに、上記支持片５０の傾倒規制部５２により傾倒が規制され、さらに、底面規制部５３により脱落しないように保持されて、リモコン３０が電装ボックス１７の左外側面１７Ａに装着される。
【００１８】
このようにしてリモコン３０を装着した後、電装ボックス１７の取付け片１８Ｃと、取付けベース４０の側面４０Ａとをビス６０によりビス止めすることで、リモコン３０が電装ボックス１７の左外側面１７Ａに固定される。
【００１９】
以上の構成の下、サービスマンなどが、本空気調和機１を直接操作する場合には、先ず、アンダーパネル７Ｃを取り外して、電装ボックス１７の左外側面１７Ａに固定されているリモコン３０を露出させ、当該リモコン３０を操作する。リモコン３０の操作時に、電装ボックス１７の左側のスペースに配設された冷媒配管などが、リモコン３０の表示パネルを隠すなどして操作しずらい場合には、取付けベース４０を固定しているビス６０を取り外して、リモコン３０を取付けベース４０ごと取り出して、当該リモコン３０を操作する。
【００２０】
このように、本実施の形態によれば、電装ボックス収容室１３Ｃに収容された電装ボックス１７の左外側面１７Ａに、運転操作のためのリモコン３０を着脱可能に取り付けるとともに、電装ボックス収納室１３Ｃの前面にアンダーパネル７Ｃを着脱可能に取り付けて、当該電装ボックス収納室１３Ｃを覆う構成とすることで、外観からリモコン３０の位置を把握不能にし、いたずら等による勝手な操作を防止することができる。
【００２１】
さらに、リモコン３０を電装ボックス１７の左外側面１７Ａに取り付ける構成とすることで、電装ボックス１７の外側面１７Ａを有効に活用して、リモコン３０の取付けに要するスペースの省スペース化を図ることができる。また、リモコン３０と電装ボックス１７に収容されている制御基板２１との距離を短くすることができ、リモコン３０と制御基板２１とを接続する信号線３１の長さを短くすることができる。
【００２２】
また、本実施の形態によれば、リモコン３０を取付けベース４０に固定し、この取付けベース４０を支持片５０により支持する構成としたため、リモコン３０の操作ボタンや表示パネルが支持片５０により覆われることがなく、電装ボックス１７の左外側面１７Ａに取り付けた状態でもリモコン３０を操作することができる。
【００２３】
さらに、本実施の形態によれば、取付けベース４０を電装ボックス１７にビス６０を用いて固定するようにしたため、リモコン３０の着脱作業が容易であり、なおかつ、本空気調和機１の輸送時の振動などによるリモコン３０の脱落、損傷を防止することができる。
【００２４】
なお、上述した実施の形態は、あくまでも本発明の一態様を示すものであり、本発明の範囲内で任意に変形可能である。例えば、リモコン３０を電装ボックス１７の内側面に着脱自在に取り付ける構成としても良く、さらに、リモコン３０を、ワイヤレスリモコンとしても良い。
【図面の簡単な説明】
【００２５】
【図１】本発明の実施の形態にかかる空気調和機の外観構成を示す斜視図である。
【図２】同空気調和機の分解斜視図である。
【図３】電装ボックスを拡大して概略的に示す斜視図である。
【図４】電装ボックスの構成を示す五面図である。
【図５】リモコンの取付け構造を示す図である。
【符号の説明】
【００２６】
１  空気調和機
２  ケース（筐体）
７  前面パネル
７Ｃ  アンダーパネル
１１、１２  仕切り板
１３Ｂ  熱交換室
１３Ｃ  電装ボックス収納室
１５  送風機ユニット
１７  電装ボックス
３０  リモコン（操作コントローラ）
５０  支持片
【図１】
2006145086.tif 000003
【図２】
2006145086.tif 000004
【図３】
2006145086.tif 000005
【図４】
2006145086.tif 000006
【図５】
2006145086.tif 000007